(57)【要約】【課題】ベルト部の一端部に取り付けられ、金属棒を折曲させてなる連結環を有するベルト取付金具において、ベルト部の厚さ方向、幅方向及び捩れ方向における可撓性及び耐久性を有し、ベルト部の破損時においても安全性を確保できるランドセル、ゴルフバッグ、釣具用バッグ、若しくは鞄のベルト部におけるベルト取付金具を提供する。【解決手段】ベルト部の一端部に取り付けられ、金属棒を折曲させてなる連結環を有するベルト取付金具において、連結環におけるベルト部が取り付けられる側の直線底部から前記連結環の外側方向に向かって、金属板を折曲させて取着されたジョイント金具を介して、軟質系合成樹脂製の二本以上の帯状体を編成したものを熱固定された延伸フィラメントを設けたことを特徴とするベルト取付金具。【選択図】  図３
2008220790.tif 000002
【特許請求の範囲】
【請求項１】
ベルト部の一端部に取り付けられ、金属棒を折曲させてなる連結環を有するベルト取付金具において、
連結環におけるベルト部が取り付けられる側の直線底部から前記連結環の外側方向に向かって、金属板を折曲させて取着されたジョイント金具を介して、
軟質系合成樹脂製の二本以上の帯状体を編成したものを熱固定した延伸フィラメントを設けたことを特徴とするベルト取付金具。
【請求項２】
ベルト部の一端部に取り付けられ、金属棒を折曲させてなる連結環を有するベルト取付金具において、
前記連結環における前記直線底部と垂直方向に、前記延伸フィラメントを取り付けたことを特徴とする請求項１に記載のベルト取付金具。
【請求項３】
ベルト部の一端部に取り付けられ、金属棒を折曲させてなる連結環を有するベルト取付金具において、
前記ジョイント金具に前記延伸フィラメントを２本並列にして設けたことを特徴とする請求項１及び請求項２に記載のベルト取付金具。
【発明の詳細な説明】
【技術分野】
【０００１】
本発明は、ランドセル、ゴルフバッグ、釣具用バッグ、若しくは鞄のベルト部におけるベルト取付金具に関するものである。
【背景技術】
【０００２】
従来より、ベルト取付金具は、ランドセル、ゴルフバッグ、釣具用バッグ、若しくは鞄等の様々なベルトの端部に使用されている。
中でもランドセルにおいては、一般的に小学生が小学校に通う際、学用品を入れて背中に背負う鞄であり、主に６年間使用するものとして、広く需要者に購入されるものである。そのため、鞄の強度、耐久性の向上、機能性の重視等と様々な性能が要求される。
【０００３】
例えば、ランドセルに多くの学用品を入れることによってランドセルが重くなる場合には、ランドセルの自重は全てベルト部に集中することになる。よって、ランドセルは使用者の背中からずり下がったようになる。そこで、ランドセルのずり下がりを防止し、使用者の背中に密着し易く装着感をよくしたものがある。
【０００４】
図１及び図２におけるランドセルのベルト部におけるベルト取付構造において、直線部２ｂ、曲線部２ｅを有し、金属棒を折り曲げて形成したもので、平坦部２ａが加圧変形により扁平に形成された三角形状ないし台形状を呈する連結環２と、その連結環２における直線底部２ｃの平坦部２ｄに回動しないように、図１及び図２に示すように突出片３ａ及び切欠き３ｂを有する弾性片３が連結されたベルト取付金具１にベルト部４を備えるもので、弾性片３が、連結環２とベルト部４との間にベルト部４を上方に向けた形態に弾力的に保持させるために設けられたベルト取付構造が公知である。（例えば、特許文献１参照）
【特許文献１】実用新案登録第３１１８０３１号
【発明の開示】
【発明が解決しようとする課題】
【０００５】
特許文献１において、弾性片３を設けることによって、ランドセルを背負っているときのずり下がりを防止できる効果を有するものであるが、弾性片３は金属薄板で形成されているため、ランドセルが繰り返し使用されることや、小学生の乱暴な扱い等によって、弾性片３における突出片３ａがベルト部４を突き破って、剥き出しになったりして危険を伴うことも懸念される。また、弾性片３は、弾性のある強靭な金属板であることが好ましく、金属板の厚さ方向には、弾性が強いが、幅方向及び捩れ方向には弱いという問題もある。
【０００６】
そこで、本発明はこのような問題点を解決するものであって、ベルト部の厚さ方向、幅方向及び捩れ方向における可撓性及び耐久性を有し、ベルト部の破損時においても安全性を確保できるランドセル、ゴルフバッグ、釣具用バッグ、若しくは鞄のベルト部におけるベルト取付金具を提供することを課題とする。
【課題を解決するための手段】
【０００７】
前記問題点を解決するために、本発明の請求項１に記載の発明のベルト取付金具は、ベルト部の一端部に取り付けられ、金属棒を折曲させてなる連結環を有するベルト取付金具において、連結環におけるベルト部が取り付けられる側の直線底部から前記連結環の外側方向に向かって、金属板を折曲させて取着されたジョイント金具を介して、軟質系合成樹脂製の二本以上の帯状体を編成したものを熱固定された延伸フィラメントを設けたことを特徴とするものである。
【０００８】
また、本発明の請求項２に記載の発明のベルト取付金具は、請求項１に記載のベルト取付金具において、前記連結環における前記直線底部と垂直方向に、前記延伸フィラメントを取り付けたことを特徴とするものである。
【０００９】
また、本発明の請求項３に記載の発明のベルト取付金具は、請求項１及び請求項２に記載のベルト取付金具において、前記ジョイント金具に前記延伸フィラメントを２本並列にして設けたことを特徴とするものである。
（作用）
【００１０】
請求項１記載のベルト取付金具に係る発明では、ベルト部の一端部に取り付けられ、金属棒を折曲させてなる連結環を有するベルト取付金具において、前記連結環における前記ベルト部が取り付けられる側の直線底部から前記連結環の外側方向に向かって、金属板を折曲させて取着されたジョイント金具を介して、軟質系合成樹脂製の二本以上の帯状体を編成したものを熱固定された延伸フィラメントを設けているので、厚さ方向、幅方向及び捩れ方向において、可撓性及び耐久性を有し、復元力も良好である。
【００１１】
請求項２記載のベルト取付金具に係る発明では、請求項１に記載のベルト取付金具において、前記連結環における前記直線底部と垂直方向に、前記延伸フィラメントを取り付けているので、ベルト部が取り付けられた後には、ベルト部と同様にして可撓することができる。
【００１２】
請求項３記載のベルト取付金具に係る発明では、請求項１及び請求項２に記載のベルト取付金具において、前記ジョイント金具に前記延伸フィラメントを２本並列にして設けているので、請求項１及び請求項２に記載のベルト取付金具よりも厚さ方向、幅方向及び捩れ方向において、可撓性及び耐久性が向上する。
【発明の効果】
【００１３】
請求項１の発明によれば、ベルト部の厚さ方向、幅方向及び捩れ方向において、可撓性及び耐久性を有し、復元力も良好であるので、ベルト部が取り付けられた後、繰り返し使用されることによっても、前記延伸フィラメントがベルト部から突き破ることはない。
また、仮にベルト部が破損することがあり、ベルト取付金具における延伸フィラメントが剥き出しになっても、軟質系合成樹脂で構成されているため、使用者に危険を及ぼすことはなく、安全である。
【００１４】
請求項２の発明によれば、請求項１に記載のベルト取付金具において、前記連結環における前記直線底部と垂直方向に、前記延伸フィラメントを取り付けているので、ベルト部が取り付けられた後には、ベルト部と同様にして可撓することができるので、使用者はごつごつした感じしない。また、ベルト部においても痛みにくく、長期に亘り使用することができる。
【００１５】
請求項３の発明によれば、請求項１及び請求項２に記載のベルト取付金具において、厚さ方向、幅方向及び捩れ方向において、可撓性及び耐久性が向上するので、請求項２に記載の発明よりも、更にベルト部は痛みにくく、長期に亘り使用することができる。
【００１６】
以下、本発明の実施の形態におけるベルト取付金具を図面に基づいて説明する。
【実施例１】
【００１７】
本発明のベルト取付金具の実施例１について、ランドセルのベルト部（背負いベルト）を例にとり図３乃至図６に基づいて説明する。
【００１８】
図３及び図４に示すように、ベルト取付金具５は、連結環６、ジョイント金具７、延伸フィラメント８及び端部カバー９によって構成される。
【００１９】
前記連結環６は、図１及び図２に示す従来品における連結環２と略同等の形状を有するものである。前記連結環６は、図３及び図４に示すように、直径３ｍｍ程度の１本の金属線を略三角形状ないし台形状に折り曲げて形成される。一方の端部から緩やかに湾曲した後、直線部６ｂを有し、更に内側へ湾曲して直線底部６ｃを有する。その後に、内側へ曲線部６ｅを有して、他端部を構成する。前記連結環６における両端部は、ランドセル本体部へ嵌入し、回動なく連結されるために平坦部６ａが形成されている。
更に、前記ジョイント金具７が取り付けられる前記直線底部６ｃの所定箇所にも、前記平坦部６ａと同一の平行面上に平坦部６ｄが設けられている。前記平坦部６ａ及び前記平坦部６ｄは、主にプレス加工によって形成される。
【００２０】
前記ジョイント金具７は、図３及び図４に示すように、１枚の金属薄板を中央で折り曲げて両端部を合わせるようにして形成される。
前記ジョイント金具７は、前記連結環における前記直線底部から前記連結環の外側方向に向かって折曲される。また、前記連結環６における前記平坦部６ｄと合わせるようにして折曲されるため、前記連結環６に対して回動することはない。また、一端部は、後に説明する延伸フィラメント８を挟持させる為に、端部７ａを他端部の方へ折曲させている。前記連結環６及び前記ジョイント金具７は、プレス加工等によって連結される。
【００２１】
前記延伸フィラメント８は、図３及び図４に示すように、幅５ｍｍ、長さ１００ｍｍ程度であって、径０．４〜１．５ｍｍの延伸モノフィラメント８ａを２本引き揃えてなる集束フィラメント８ｂの３組を三つ編みしてなる帯状体が熱固定されたものである。
【００２２】
より具体的には、延伸モノフィラメント８ａの構成材料としては、ポリエチレンテレフタレート、ポリブチレンテレフタレート等のポリエステル系樹脂；ビニロン等のポリビニルアルコール系樹脂；レーヨン等の再生セルロース系樹脂；ナイロン６、ナイロン６，６等のポリアミド系樹脂；ポリアクリロニトリル、ポリアクリロニトリルとアクリル酸エステルやメタクリル酸メチル等のアクリル系モノマーとの共重合体などのアクリル系樹脂；ポリエチレン、ポリプロピレン等のポリオレフィン系樹脂；ポリビニルホルマール、ポリビニルブチラール等のポリアセタール系樹脂；及びアセチルセルロース等のアセテート系樹脂よりなる群から選ばれる１種または２種以上の混合物を用いることが好ましい。より好ましくはポリエステル系樹脂又はその混合物といった比較的ヤング率の高い材料を用いる。ポリウレタン等のゴム状繊維を用いると、身体の動きにはストレッチして追随するが、腰がなく、支持整形機能を果たせないからである。
【００２３】
前記延伸モノフィラメント８ａは、ポリエステル等の上記高分子材料を従来より公知の紡糸方法により延伸して得られる。延伸は、紡糸時に行ってもよいし、未延伸モノフィラメントを束ねて集束フィラメントとした状態で延伸してもよい。延伸倍率は特に限定しないが、２〜１５倍程度が好ましく、より好ましくは２〜１０倍程度である。
【００２４】
前記延伸フィラメント８は、前記集束フィラメント８ｂを三つ編みにした後、熱固定されている。熱固定は、延伸により生じた前記延伸モノフィラメント８ａ内の内部ひずみを除去するとともに、三つ編み状態を固定安定化させるために行われる。また、三つ編みは、各集束フィラメント８ｂ、さらには前記集束フィラメント８ｂの構成要素である前記延伸モノフィラメント８ａが外力により自由に相対運動できる程度の編み目となるように編まれている。
【００２５】
熱固定の方法は、前記延伸モノフィラメント８ａの分子配向を安定させる方法であればよく、三つ編み状態の形状が凹設された型にはめ込んだ状態で熱プレスするか、あるいはオーブンにいれて熱処理する方法で行ってよいし、三つ編み状態の形状が凹設された型にはめ込んだ状態でホーンで加圧しながら超音波を発振させ、振動により前記延伸フィラメント８自身を発熱させることにより行ってもよい。
【００２６】
熱固定の温度は、前記延伸モノフィラメント８ａを構成する合成樹脂の種類にもよるが、一般にガラス転移点より高く、融点より低い温度で行われる。
【００２７】
前記端部カバー９は、図３及び図４に示すように、前記延伸フィラメント８の両端部に設けられるものであって、コーナー部にＲを設けたコの字型等のものである。前記端部カバー９は、前記延伸フィラメント８における前記集束フィラメント８ｂの端部がバラけるのを防止する為、前記延伸フィラメント８が前記ベルト部４（背負いベルト）より露出した場合における安全性の確保する為に設けられる。
【００２８】
両端部に前記端部カバー９を有した前記延伸フィラメント８は、前記ジョイント金具７における縁部と前記延伸フィラメントにおける長さ方向の縁部を合わせるようにして、前記連結環における前記直線底部と垂直方向に、折曲された前記ジョイント金具７の内側に２本配設され、前記ジョイント金具７における前記端部７ａを他端部の方へ折曲させることによって、挟持され固定される。
【００２９】
このようにして構成される前記ベルト取付金具５は、図５に示すようにして、従来品と同様にして前記ベルト部４に取り付けられる。
具体的には、前記ベルト部４の端部を前記連結環６の内部に通し、折り返して他の部分と糸で縫い合わせることにより、前記ベルト取付金具５は固着される。更に、前記ベルト部４の折り返し部分の全体は、２本の前記延伸フィラメント８の内側位置をリベット１０で固定されている。
また、図６に示すようにして、別の仕様例１として、前記リベット１０の位置は２本の前記延伸フィラメント８の外側位置に２箇所設けることもできる。
【００３０】
本願発明の前記ベルト取付金具５を取り付けた前記ベルト部４において、以下のような耐久試験を行い、前記延伸フィラメント８の破損等の異常の有無を確認した。
（試験方法）
前記ベルト部４の両端部を繰り返し圧縮試験に固定した後、屈曲操作を１００００回行った。
（試験結果）
前記ベルト取付金具５を取り付けた前記ベルト部４の外観において、屈曲回数１００００回時においても異常は認められなかった。
【００３１】
本実施例によれば、前記ベルト取付金具５に前記延伸フィラメント８を設けているので、前記ベルト部４の厚み方向、幅方向及び捩れ方向におけるどの方向に対しても可撓性及び耐久性を有している。
また、従来品のように、前記ベルト部４内に金属板の弾性片３が狭入されている場合と異なり、ポリエステル系樹脂、ポリビニルビニルアルコール系樹脂、ポリアミド系樹脂、再生セルロース系樹脂、アクリル系樹脂、ポリオレフィン系樹脂、ポリアセタール系樹脂及びアセテート系樹脂からなる群より選択される１種又は２種以上で構成される前記延伸フィラメント８を設けているので、繰り返しの使用や小学生の乱暴な扱い等によっても、前記延伸フィラメント８が折れたりすることなく、前記ベルト部４の内部から破損等する可能性も低くなる。
また、仮に前記ベルト部４が破損することがあり、前記ベルト取付金具５における前記延伸フィラメント８が剥き出しになっても、ポリエステル系樹脂又はその混合物といった比較的ヤング率の高い材料で構成されているため、使用者である小学生に危険を及ぼすことはない。
また、前記延伸フィラメント８は高い復元力を有しているので、前記ベルト部４は湾曲状態が続くことがあっても、復元するので問題なく使用することができる。
【００３２】
また、本実施例では、前記延伸フィラメント８を２本用いる構成をとっているが、耐久性、捩れ方向等の強度を向上させるために、前記延伸フィラメント８を３本並列にして設けることもできる。また、前記延伸フィラメント８の本数を制限するものではない。
【００３３】
また、本実施例では三つ編みであったが、前記延伸フィラメント８は三つ編みに限定するものではない。二つ編みとすることもできるし、それ以上の構成とすることもできる。要するに、帯状態の面のうねりが、幅方向の運動に対して、外周と内周の差を吸収できるように、個々の編み目の接点において自由に相対運動できるように、接点が摺動可能でしかも相対運動ができる空隙があればよいものである。
【００３４】
また、本実施例１と同様の効果を奏するものであるが、別の仕様例２として、図７に示すように、前記連結環６の形状を略Ｏ字形状になるようにして、連結環１１とすることもできる。このような形状をとることによって、ランドセルのみならず、ゴルフバッグ、釣具用バッグ、若しくは鞄のベルト部４におけるベルト取付金具としても、幅広く使用することができる。このとき、前記連結環６と同様に、直線底部１１ａ及び平坦部１１ｂも設けなければならないが、前記ベルト部４に対して前記連結環１１を回動させるようにする場合には、前記平坦部１１ｂは設けなくてもよい。
【図面の簡単な説明】
【００３５】
【図１】ランドセルにおけるベルト部に取り付けられる従来品におけるベルト取付金具の（ａ）平面図、（ｂ）左側面図である。
【図２】ランドセルにおけるベルト部に、従来品におけるベルト取付金具を取り付けたときの平面図である。
【図３】本発明の実施例１におけるベルト取付金具の平面図である。
【図４】本発明の実施例１におけるベルト取付金具の左側面図である。
【図５】ランドセルにおけるベルト部に、本発明の実施例１におけるベルト取付金具を取り付けたときの平面図である。
【図６】ランドセルにおけるベルト部に、本発明の実施例１におけるベルト取付金具を取り付けたときの別仕様例１の平面図である。
【図７】ゴルフバッグ、釣具用バッグ、若しくは鞄のベルト部に、本発明の実施例１における別仕様例２のベルト取付金具を取り付けたときの平面図である。
【符号の説明】
【００３６】
１      ベルト取付金具
２      連結環
２ａ    平坦部
２ｂ    直線部
２ｃ    直線底部
２ｄ    平坦部
２ｅ    曲線部
３      弾性片
３ａ    突出片
３ｂ    切欠き
４      ベルト部
５      ベルト取付金具
６      連結環
６ａ    平坦部
６ｂ    直線部
６ｃ    直線底部
６ｄ    平坦部
６ｅ    曲線部
７      ジョイント金具
８      延伸フィラメント
８ａ    延伸モノフィラメント
８ｂ    集束フィラメント
９      端部カバー
１０    リベット
１１    連結環
１１ａ  直線底部
１１ｂ  平坦部
【図１】
2008220790.tif 000003
【図２】
2008220790.tif 000004
【図３】
2008220790.tif 000005
【図４】
2008220790.tif 000006
【図５】
2008220790.tif 000007
【図６】
2008220790.tif 000008
【図７】
2008220790.tif 000009